(57)【特許請求の範囲】
【請求項１】
拡張サイクリック・プレフィクスを使用してアップリンクＳＣ−ＦＤＭＡシンボルを送信する方法であって、
イントラ・サブ・フレーム周波数ホッピングがイネーブルされているか否かを判定することと、
イントラ・サブ・フレーム周波数ホッピングがイネーブルされていないと判定された場合、サブフレーム内の連続した２つのスロットからのＳＣ−ＦＤＭＡシンボルを、シンボル・ストリームに結合することと、
前記シンボル・ストリーム内のシンボルを、ペアに分けることと、
各ペアについて、２番目のシンボルの関数と、１番目のシンボルとを、第１のアンテナで送信することと、
各ペアについて、前記１番目のシンボルの関数と、前記２番目のシンボルとを、第２のアンテナで送信することと
を備える方法。
【請求項２】
前記２番目のシンボルの関数は、前記２番目のシンボルの時間反転複素共役である請求項１に記載の方法。
【請求項３】
前記１番目のシンボルの関数は、前記１番目のシンボルの時間反転複素共役のネガティブである請求項１に記載の方法。
【請求項４】
イントラ・サブ・フレーム周波数ホッピングがイネーブルされていると判定された場合、サブフレーム内の連続した２つのスロットを、それぞれのスロットにおける５つのＳＣ−ＦＤＭＡシンボル同士が順に１対１で結合されるように結合し、前記結合されたスロット内の５つのシンボルのうち、最初の４つのシンボルを、２つのペアに分けることと、
５番目のシンボルを２等分に分割することと、
各ペアについて、前記２番目のシンボルの関数と、前記１番目のシンボルとを、第１のアンテナで送信することと、
各ペアについて、前記１番目のシンボルの関数と、前記２番目のシンボルとを、第２のアンテナで送信することと、
前記５番目のシンボルについて、前記２等分のうちの１番目の関数を前記第１のアンテナで送信し、前記２等分のうちの２番目の関数を前記第２のアンテナで送信することと
をさらに備える請求項１に記載の方法。
【請求項５】
前記２等分のうちの１番目の関数はＩＦＦＴ（ＤＦＴ［ａ（ｍ１），ａ（ｍ２）］））であり、ａ（ｍ１）およびａ（ｍ２）は、前半および後半である請求項４に記載の方法。
【請求項６】
前記２等分のうちの２番目の関数はＩＦＦＴ（ＤＦＴ［ａ（ｍ１），−ａ（ｍ２）］））＊であり、ａ（ｍ１）およびａ（ｍ２）は、前半および後半である請求項４に記載の方法。
【請求項７】
前記アップリンクＳＣ−ＦＤＭＡシンボルは、ＬＴＥ  ＰＵＳＣＨチャネルで送信される請求項１に記載の方法。
【請求項８】
前記アップリンクＳＣ−ＦＤＭＡシンボルは、拡張サイクリック・プレフィクスを用いて送信される請求項１に記載の方法。
【請求項９】
拡張サイクリック・プレフィックスを使用してアップリンクＳＣ−ＦＤＭＡシンボルを送信するシステムであって、
イントラ・サブ・フレーム周波数ホッピングがイネーブルされているか否かを判定する手段と、
イントラ・サブ・フレーム周波数ホッピングがイネーブルされていないと判定された場合、
サブフレーム内の連続した２つのスロットからのＳＣ−ＦＤＭＡシンボルを、シンボル・ストリームに結合する手段と、
前記シンボル・ストリーム内のシンボルを、ペアに分ける手段と、
各ペアについて、２番目のシンボルの関数と、１番目のシンボルとを、第１のアンテナで送信する手段と、
各ペアについて、前記１番目のシンボルの関数と、前記２番目のシンボルとを、第２のアンテナで送信する手段と
を備えるシステム。
【請求項１０】
前記２番目のシンボルの関数は、前記２番目のシンボルの時間反転複素共役である請求項９に記載のシステム。
【請求項１１】
前記１番目のシンボルの関数は、前記１番目のシンボルの時間反転複素共役のネガティブである請求項９に記載のシステム。
【請求項１２】
イントラ・サブ・フレーム周波数ホッピングがイネーブルされていると判定された場合、サブフレーム内の連続した２つのスロットを、それぞれのスロットにおける５つのＳＣ−ＦＤＭＡシンボル同士が順に１対１で結合されるように結合し、前記結合されたスロット内の５つのシンボルのうち、最初の４つのシンボルを、２つのペアに分ける手段と、
５番目のシンボルを２等分に分割する手段と、
各ペアについて、前記２番目のシンボルの関数と、前記１番目のシンボルとを、第１のアンテナで送信する手段と、
各ペアについて、前記１番目のシンボルの関数と、前記２番目のシンボルとを、第２のアンテナで送信する手段と、
前記５番目のシンボルについて、前記２等分のうちの１番目の関数を前記第１のアンテナで送信し、前記２等分のうちの２番目の関数を前記第２のアンテナで送信する手段と
をさらに備える請求項９に記載のシステム。
【請求項１３】
前記２等分のうちの１番目の関数はＩＦＦＴ（ＤＦＴ［ａ（ｍ１），ａ（ｍ２）］））であり、ａ（ｍ１）およびａ（ｍ２）は、前半および後半である請求項１２に記載のシステム。
【請求項１４】
前記２等分のうちの２番目の関数はＩＦＦＴ（ＤＦＴ［ａ（ｍ１），−ａ（ｍ２）］））＊であり、ａ（ｍ１）およびａ（ｍ２）は、前半および後半である請求項１２に記載のシステム。
【請求項１５】
前記アップリンクＳＣ−ＦＤＭＡシンボルは、ＬＴＥ  ＰＵＳＣＨチャネルで送信される請求項９に記載のシステム。
【請求項１６】
前記アップリンクＳＣ−ＦＤＭＡシンボルは、拡張サイクリック・プレフィクスを用いて送信される請求項９に記載のシステム。
【請求項１７】
拡張サイクリック・プレフィクスを使用してアップリンクＳＣ−ＦＤＭＡシンボルを送信する方法を実施するためのコードを記録したコンピュータ読取可能な記録媒体であって、
イントラ・サブ・フレーム周波数ホッピングがイネーブルされているか否かを判定するためのコードと、
イントラ・サブ・フレーム周波数ホッピングがイネーブルされていないと判定された場合、サブフレーム内の連続した２つのスロットからのＳＣ−ＦＤＭＡシンボルを、シンボル・ストリームに結合するためのコードと、
前記シンボル・ストリーム内のシンボルを、ペアに分けるためのコードと、
各ペアについて、２番目のシンボルの関数と、１番目のシンボルとを、第１のアンテナで送信するためのコードと、
各ペアについて、前記１番目のシンボルの関数と、前記２番目のシンボルとを、第２のアンテナで送信するためのコードと
を記録したコンピュータ読取可能な記録媒体。
【請求項１８】
前記２番目のシンボルの関数は、前記２番目のシンボルの時間反転複素共役のネガティブである請求項１７に記載のコンピュータ読取可能な記録媒体。
【請求項１９】
前記１番目のシンボルの関数は、前記１番目のシンボルの時間反転複素共役のネガティブである請求項１７に記載のコンピュータ読取可能な記録媒体。
【請求項２０】
イントラ・サブ・フレーム周波数ホッピングがイネーブルされていると判定された場合、サブフレーム内の連続した２つのスロットを、それぞれのスロットにおける５つのＳＣ−ＦＤＭＡシンボル同士が順に１対１で結合されるように結合し、前記結合されたスロット内の５つのシンボルのうち、最初の４つのシンボルを、２つのペアに分けるためのコードと、
５番目のシンボルを２等分に分割するためのコードと、
各ペアについて、前記２番目のシンボルの関数と、前記１番目のシンボルとを、第１のアンテナで送信するためのコードと、
各ペアについて、前記１番目のシンボルの関数と、前記２番目のシンボルとを、第２のアンテナで送信するためのコードと、
前記５番目のシンボルについて、前記２等分のうちの１番目の関数を前記第１のアンテナで送信し、前記２等分のうちの２番目の関数を前記第２のアンテナで送信するためのコードと
をさらに記録した請求項１７に記載のコンピュータ読取可能な記録媒体。
【請求項２１】
前記２等分のうちの１番目の関数はＩＦＦＴ（ＤＦＴ［ａ（ｍ１），ａ（ｍ２）］））であり、ａ（ｍ１）およびａ（ｍ２）は、前半および後半である請求項１７に記載のコンピュータ読取可能な記録媒体。
【請求項２２】
前記２等分のうちの２番目の関数はＩＦＦＴ（ＤＦＴ［ａ（ｍ１），−ａ（ｍ２）］））＊であり、ａ（ｍ１）およびａ（ｍ２）は、前半および後半である請求項２０に記載のコンピュータ読取可能な記録媒体。
【請求項２３】
前記アップリンクＳＣ−ＦＤＭＡシンボルは、ＬＴＥ  ＰＵＳＣＨチャネルで送信される請求項１７に記載のコンピュータ読取可能な記録媒体。
【請求項２４】
前記アップリンクＳＣ−ＦＤＭＡシンボルは、拡張サイクリック・プレフィクスを用いて送信される請求項１７に記載のコンピュータ読取可能な記録媒体。
【発明の詳細な説明】
【優先権主張】
【０００１】
本特許出願は、ともに本願の譲受人に割り当てられ、本明細書において参照によって明確に組み込まれている、２００８年９月２３日出願の“Ｔｒａｓｎｍｉｔ  Ｄｉｖｅｒｓｉｔｙ  ｆｏｒ  ＬＴＥ  ＵＬ  ｗｉｔｈ  Ｅｘｔｅｎｄｅｄ  Ｃｙｃｌｉｃ  Ｐｒｅｆｉｘ”と題された仮出願６１／０９９，３９６号、および、２００８年９月２６日出願の“Ｔｒａｓｎｍｉｔ  Ｄｉｖｅｒｓｉｔｙ  Ｔｅｃｈｎｉｑｕｅ  ｆｏｒ  Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ  Ｓｉｇｎａｌｓ”と題された仮出願６１／１００，３６０号に対する優先権を主張する。
【技術分野】
【０００２】
本願は、一般に無線通信に関し、さらに詳しくは、制御送信およびデータ送信のためにリソースを割り当てることに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
例えばＬＴＥシステムのような通信システムでは、シンボルを送信する場合、サイクリック・プレフィクスが追加されうる。通常のサイクリック・プレフィクスが使用される場合、６つのデータ・シンボルが、スロットで送信されうる。拡張サイクリック・プレフィクスも使用されうる。この場合、５つのデータ・シンボルが、スロットで送信されうる。
【０００５】
送信ダイバーシティのために、シンボルは、複数のアンテナによって送信されうる。アップリンクＳＣ−ＦＤＭＡシンボルを送信する場合、送信ダイバーシティを実行するシステムおよび方法を有することが望ましいであろう。
【発明の概要】
【０００６】
本開示の１つの態様では、拡張サイクリック・プレフィクスが使用される場合にアップリンクＳＣ−ＦＤＭＡシンボルを送信する方法が、イントラ・サブ・フレーム周波数ホッピングがイネーブルされているかを判定することと、イントラ・サブ・フレーム周波数ホッピングがイネーブルされていないと判定されると、サブフレーム内の連続した２つのスロットからのＳＣ−ＦＤＭＡシンボルを、シンボル・ストリームに結合することと、シンボル・ストリーム内のシンボルを、ペアに分けることと、各ペアについて、１番目のシンボルと、２番目のシンボルの関数とを、第１のアンテナで送信することと、各ペアについて、２番目のシンボルと、１番目のシンボルの関数とを、第２のアンテナで送信することとを備える。
【０００７】
本開示の別の態様では、拡張サイクリック・プレフィクスが使用される場合にアップリンクＳＣ−ＦＤＭＡシンボルを送信するシステムは、イントラ・サブ・フレーム周波数ホッピングがイネーブルされているかを判定する手段と、イントラ・サブ・フレーム周波数ホッピングがイネーブルされていないと判定されると、サブフレーム内の連続した２つのスロットからのＳＣ−ＦＤＭＡシンボルを、シンボル・ストリームに結合する手段と、シンボル・ストリーム内のシンボルを、ペアに分ける手段と、各ペアについて、１番目のシンボルと、２番目のシンボルの関数とを、第１のアンテナで送信する手段と、各ペアについて、２番目のシンボルと、１番目のシンボルの関数とを、第２のアンテナで送信する手段とを備える。
【０００８】
本開示のさらに別の態様では、拡張サイクリック・プレフィクスが使用される場合にアップリンクＳＣ−ＦＤＭＡシンボルを送信するシステムは、第１のアンテナと、第２のアンテナと、シンボル・ペアを分け、各ペアにおける１番目のシンボルと、２番目のシンボルの関数とを、第１のアンテナで送信し、各ペアにおける２番目のシンボルと、１番目のシンボルの関数とを、第２のアンテナで送信するように構成された送信ダイバーシティ・モジュールとを備える。
【０００９】
本開示のさらに別の態様では、コンピュータ・プログラム製品は、イントラ・サブ・フレーム周波数ホッピングがイネーブルされているかを判定するためのコードと、イントラ・サブ・フレーム周波数ホッピングがイネーブルされていないと判定されると、サブフレーム内の連続した２つのスロットからのＳＣ−ＦＤＭＡシンボルを、シンボル・ストリームに結合するためのコードと、シンボル・ストリーム内のシンボルを、ペアに分けるためのコードと、各ペアについて、１番目のシンボルと、２番目のシンボルの関数とを、第１のアンテナで送信するためのコードと、各ペアについて、２番目のシンボルと、１番目のシンボルの関数とを、第２のアンテナで送信するためのコードとを備えるコンピュータ読取可能媒体を備える。
【図面の簡単な説明】
【００１０】
本開示の特徴、特性、および利点は、同一の参照符号が全体を通じて同一物に特定している図面とともに考慮された場合、以下に記載する詳細な記述からより明らかになるだろう。
【図１】図１は、多元接続無線通信システムを例示する。
【図２】図２は、ＭＩＭＯ送信機および受信機を図示する。
【図３】図３は、典型的なＭＩＭＯ  ＳＣ−ＦＤＭＡ送信機を図示する。
【図４】図４は、アップリンク・データ信号および制御信号を図示する。
【図５】図５は、典型的なＬＴＥフレーム構造を図示する。
【図６】図６は、典型的な無線通信システムを図示する。
【図７】図７は、イントラ・サブ・フレーム・ホッピングがディセーブルされる典型的なアップリンク・データ送信方法を図示するフローチャートである。
【図８】図８は、図７の典型的なアップリンク・データ伝送方法を図示するブロック図である。
【図９】図９は、イントラ・サブ・フレーム・ホッピングがイネーブルされる典型的なアップリンク・データ送信方法を図示するフローチャートである。
【図１０】図１０は、図９の典型的なアップリンク・データ送信方法を図示するブロック図である。
【図１１】図１１は、アクセス端末の概念ブロック図である。
【図１２】図１２は、アップリンクＳＣ−ＦＤＭＡシンボルを送信するためのシステムを図示する。
【図１３】図１３は、アップリンクＳＣ−ＦＤＭＡシンボルを送信するための別のシステムを図示する。
【発明を実施するための形態】
【００１１】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）および低チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。ＯＦＤＭＡネットワークは、例えば発展型ＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡ、およびＧＳＭ（登録商標）は、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１２】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）または発展型ＵＴＲＡにおけるアップリンク多元接続スキームのために動作していると仮定されている。
【００１３】
図１を参照して、開示されたさまざまな態様を実現する無線通信システム１００が例示される。無線通信システム１００は、例えば、３ＧＰＰ  ＬＴＥによって指定されたプロトコルを実施しうる。アクセス・ポイント１０２（ＡＰ）は、１つは１０４と１０６を含み、他は１０８と１１０を含み、さらに別のものは１１２と１１４を含む複数のアンテナ・グループを含みうる。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アンテナの各グループ、および／または、それらが通信するように設計されている領域は、しばしば、アクセス・ポイントのセクタと称される。実施形態では、おのおののアンテナ・グループは、アクセス・ポイント１００によってカバーされる領域のセクタ内のアクセス端末と通信するように設計される。
【００１４】
ＡＰは、端末と通信するために使用される固定局であり、アクセス・ノード、ノードＢ、またはその他いくつかの用語で称されうる。ＡＴは、端末、ユーザ機器（ＵＥ）、無線通信デバイス、またはその他いくつかの用語でも称される。
【００１５】
図２は、ＭＩＭＯシステム２００における送信機システム２１０および受信機システム２５０の実施例のブロック図である。ダウンリンク送信について、送信機システム２１０はＡＰの一部であり、受信機システム２５０はＡＴの一部である。送信機システム２１０では、多くのデータ・ストリーム用のトラフィック・データが、データ・ソース２１２から送信（ＴＸ）データ・プロセッサ２１４に提供される。
【００１６】
データ・ストリームはそれぞれ、送信アンテナ２２４ａ−２２４ｔのうちの１または複数によって送信されうる。ＴＸデータ・プロセッサ２１４は、おのおののデータ・ストリームのトラフィック・データ・ストリームをフォーマットし、このデータ・ストリームのために選択された特定の符号化スキームに基づいて符号化し、インタリーブして、符号化されたデータを提供する。
【００１７】
各データ・ストリームについて符号化されたデータは、パイロット・データで多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００１８】
その後、すべてのデータ・ストリームの変調シンボルは、ＴＸ  ＭＩＭＯプロセッサ２２０へ提供される。ＴＸ  ＭＩＭＯプロセッサ２２０は、（例えば、ＯＦＤＭまたはＳＣ−ＦＤＭＡのため）変調シンボルを処理しうる。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ＴＸ  ＭＩＭＯプロセッサ２２０は、シンボル、または、シンボルの関数を、複数のアンテナを介して送信することによって、データ・ストリームのシンボルへ送信ダイバーシティ・スキームを適用しうる。例えば、ＴＸ  ＭＩＭＯプロセッサ２２０は、空間時間送信ダイバーシティ（ＳＴＴＤ）動作をシンボルに適用しうる。その他の送信ダイバーシティ・スキームも適用されうる。さらに、送信機ダイバーシティと異なるシンボル処理技術もまた適用されうる。
【００１９】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００２０】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２１】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。プロセッサ２７０は、受信機２５０において、さまざまな処理ユニットの動作を指示しうる。
【００２２】
本明細書に記載されたシステムおよび方法は、ＬＴＥ技術を実施するように構成されうる。ＬＴＥシステムでは、ダウンリンク（ＤＬ）送信がＯＦＤＭを使用する一方、アップリンク（ＵＬ）送信がＳＣ−ＦＤＭＡを使用する。本明細書で使用されるように、ＤＬは、ＡＰから開始されＡＴに宛先指定された通信を称する一方、ＵＬは、ＡＴから開始されＡＰに宛先指定された通信を称する。図３は、ＭＩＭＯ通信システムにおけるアップリンク通信に使用されうる典型的なＳＣ−ＦＤＭＡ送信機を図示する。ＮポイントＤＦＴは、ＮポイントＤＦＴ３１２ａ−３１２ｎを用いてデータ・シンボルについて実行されうる。その後、データ・シンボルは３１４ａ−３１４ｎにおいて、Ｍ個のサブキャリアにマップされる。一般に、サブキャリアの数は、データ・シンボルの数よりも大きい。そのため、サブキャリア・マッピングは、ゼロ充填を含みうる。次に、ＭポイントＩＤＦＴが３１６ａ−３１６ｎにおいて実行され、シンボルが、時間領域に変換される。サイクリック・プレフィクス・インサータ（inserter）３１８ａ-３１８ｎは、各シンボルにサイクリック・プレフィクスを挿入し、これらシンボルは、１または複数の送信アンテナ３２０ａ−３２０ｎによって送信される。
【００２３】
図４に図示するように、アクセス・ポイント４４２に通信可能に接続されたアクセス端末４３２は、さまざまな物理アップリンク・チャネルによって送信しうる。例えば、図４に例示するように、アップリンク送信は、物理アップリンク共有チャネル（ＰＵＳＣＨ）、物理アップリンク制御チャネル（ＰＵＣＣＨ）、および物理ランダム・アクセス・チャネル（ＰＲＡＣＨ）を含みうる。その他のアップリンク送信チャネルもまた含まれうる。ＰＵＳＣＨは、ＵＬデータ送信のために使用されうる。ＰＵＣＣＨは、アップリンク制御情報を伝送し、複数のフレーム・フォーマットをサポートしうる。ＰＲＡＣＨは、ランダム・アクセス割当情報を伝送する。
【００２４】
図５は、ＬＴＥフレーム５００の典型的なフレーム構造を図示する。ＬＴＥフレーム５００は、アップリンクおよびダウンリンクの物理レイヤ送信のために使用されうる。ＬＴＥフレーム５００は、長さ１０ミリ秒であり、２０個のスロット５０２を含みうる。図５に図示するように、スロット５０２は、ＳＬ０乃至ＳＬ１９と符番される。スロット５０２はそれぞれ、長さ０．５ミリ秒である。５０４に例示するように、連続した２つのスロット５０２が、サブフレームとして知られている。したがって、ＬＴＥフレーム２００は、１０個のサブフレームを備える。ＬＴＥフレーム５００は、フル・デュプレクスおよびハーフ・デュプレクスのＦＤＤのために使用されうる典型的なＬＴＥフレームであることが注目される。例えば、内容が本明細書において参照によって組み込まれており、３ＧＰＰ  ＴＳ  ３６．２１１に記述されているＴＤＤフレーム構造のような他のフレーム・タイプ／構造も適用されうる。
【００２５】
スロット５０２はそれぞれ、複数のＳＣ−ＦＤＭＡシンボルを送信するように構成されうる。スロット内で送信されるＳＣ−ＦＤＭＡシンボルの数は、サイクリック・プレフィクス長さに依存する。通常のサイクリック・プレフィクスが使用される場合、スロットは、５０６に示されるように、７つのシンボルを送信しうる。拡張プレフィクスが使用される場合、５０８に示されるように、６つのＳＣ−ＦＤＭＡシンボルが送信されうる。５０６および５０８でさらに示されるように、おのおののスロットはまた、通常のデータ・シンボルまたは制御シンボルに加えて、基準シンボルＲＳを送信しうる。この基準シンボルは、例えば復調あるいはチャネル・サウンディングを支援するために使用されうる。したがって、基準シンボルＲＳ以外に、６つのシンボルを送信するためにスロット５０６が、５つのシンボルを送信するためにスロット５０８が使用されうる。
【００２６】
図６は、１または複数のＡＴ６２０、および、１または複数のＡＰ６４０を備える典型的な通信システム６００を図示する。図６では１つのＡＴ６２０および１つのＡＰ６４０しか例示されていないが、システム６００は、任意の適切な数のＡＴ６２０およびＡＰ６４０を含みうることが認識されるべきである。
【００２７】
ＡＴ６２０およびＡＰ６４０は、１または複数のアンテナ６０２、６０４によってＵＬ通信およびＤＬ通信を実行しうる。ＡＴ６２０およびＡＰ６４０のおのおのに単一のアンテナしか関連付けられていないように示されているが、上述したように、送信ダイバーシティを可能にするために、複数のアンテナが適用されうる。ＵＬ送信は、送信機６２２によってＡＴ６２０において開始する。その後、ＵＬデータは、送信機６２２およびアンテナ６０２を経由して送信され、アンテナ６０４を経由してＡＰ６４０における受信機６４４によって受信されうる。ＡＴ６２０はさらに、プロセッサ６２６およびメモリ６２８を備える。これらは、本明細書に記載されたさまざまな態様を実施するためにＡＴ６２０によっても使用されうる。例えば、プロセッサ６２６は、送信ダイバーシティ・エンジン６３０に対して、複数のアンテナを経由してデータを送信するように指示するように構成される。送信ダイバーシティ・エンジン６３０は、プロセッサ６２６と別に示されているが、当業者は、送信ダイバーシティ・エンジン６３０によって実行される機能は、一般に、プロセッサと統合されうることを認識するであろうことが注目される。したがって、送信ダイバーシティ・エンジン６３０は、プロセッサ６２６のソフトウェア・モジュール形成部でありうる。
【００２８】
送信ダイバーシティ（ＴＤ）は、データ・ストリームの複数のコピーを、多くのアンテナを介して送信することによって、フェージング、散乱、反射、屈折、および、信号とのその他の干渉の効果を無効にするために適用される技術である。例えば、第１のアンテナによって送信された１次信号と、第２のアンテナによって送信された、１次信号の２次的な変更されたバージョンとは、受信された場合、伝送されたデータの信頼性の向上のための結合に利用される。この冗長によって、信号の、受信された１または複数のコピーが、送信されたデータの完全なコピーを受信機に伝送する可能性が高くなる。
【００２９】
ＬＴＥ多元接続システム・アップリンク（ＵＬ）のための多くの可能なＴＤスキームのうちの１つは、オープン・ループ送信ダイバーシティ（ＯＬ  ＴＤ）である。これらＯＬシステムでは、受信機は、最適な送信信号構成に関するフィードバックを送信機に送信しない。ＯＬ  ＴＤスキームの動作の効率的な方式は、送信された変調シンボルのペアを見つけ、これらに対して、空間時間符号化のいくつかの方式を適用することである。この方式は、最大量の情報を抽出する手法で、信号のすべてのコピーを結合する。
【００３０】
送信アンテナは、物理的あるいは仮想的でありうる。チャネル推定目的のために、送信アンテナは、３ＧＰＰリリース８のＬＴＥのために指定された復調基準信号（ＤＭ−ＲＳ）の２つの異なる直交サイクリック・シフトを利用する。３ＧＰＰリリース８のＬＴＥの仕様は、本明細書において、参照によって組み込まれている。その他の直交スキームも使用されうる。このように、２つの送信アンテナに対応するチャネルが、相互干渉なく測定されうる。
【００３１】
送信ダイバーシティ・エンジン６３０は、アップリンク・データ送信のための１または複数の送信ダイバーシティ動作を実行するように構成されうる。例えば、ＳＴＴＤが実行されうる。送信ダイバーシティ・エンジン６３０は、イントラ・サブ・フレーム周波数ホッピングがイネーブルされているかを判定するように構成されうる。送信ダイバーシティ・エンジン６３０は、送信されるべきデータが、関連つけられた拡張サイクリック・プレフィクスを有しているか、また、奇数番号のデータ・シンボルが送信されるべきであるかを判定するように構成されうる。ＵＬチャネルが、イントラ・サブ・フレーム周波数ホッピングを実行するように構成されていない場合、送信ダイバーシティ・エンジン６３０は、サブフレーム内の連続した２つのスロットからのデータ・シンボルをペアにするように構成されうる。各シンボル、または、シンボルの関数は、複数の送信アンテナのおのおのを介して送信されうる。
【００３２】
イントラ・サブ・フレーム周波数ホッピングがＵＬ送信チャネル上で形成される場合、連続した２つのスロットからシンボルは結合されない。したがって、いくつかの態様によれば、送信ダイバーシティ・エンジン６３０は、時間スロットの最初の４つのデータ・シンボルをペアにするように、かつ、イントラ・サブ・フレーム周波数ホッピングが適用される場合と同じようにしてこれらシンボルを送信するように構成されうる。送信ダイバーシティ・エンジン６３０は、５番目のシンボルを、２つの部分に分割するように構成されうる。分割された１番目のシンボルの関数が、第１のアンテナで送信される一方、分割されたシンボルの２番目の関数が、第２のアンテナで送信され、ダイバーシティが達成される。例えば、ペアになっていない５番目のシンボルは、１２ビットを含む。最初の６ビットが第１の部分に使用される一方、次の６ビットが第２の部分に使用される。
【００３３】
ペアになっていない５番目のシンボルはまた、他の方式によってペアとされうる。例えば、シンボル内の連続するビットが、ペアとされうる。第１の期間では、１番目のビットが、第１のアンテナで送信され、２番目のビットが、第２のアンテナで送信される。その後、第２の期間では、２番目のビットの、例えば複素共役のようなある関数が、第１のアンテナで送信される一方、１番目のビットの、例えば逆複素共役のようなある関数が、第２のアンテナで送信されうる。他の例では、第１の期間において、偶数ビットが第１のアンテナで送信され、奇数ビットが第２のアンテナで送信されうる一方、第２の期間において、奇数ビットの関数が第１のアンテナで送信され、偶数ビットの関数が第２のアンテナで送信される。
【００３４】
ＡＰ６４０は、ＡＰ６２０からの送信をアンテナ６０４によって受信する受信機６４４を備える。ＡＰ６４０はさらに、ＡＴ６２０から受信したデータ・シンボルをプロセッサ６４６によって処理するように構成されうるダイバーシティ・シンボル処理モジュール６５０を備えうる。上述したように、奇数のシンボルの場合、ペアとなされていない単一のシンボルを受信すると、ダイバーシティ・シンボル処理モジュール６５０は、送信アンテナに対応するチャネル・インパルス応答を含むシンボルを受信しうる。シンボルはさらに、雑音／干渉構成要素を含みうる。ＡＰ６４０はさらに、データおよび制御情報を、アンテナ６０４を経由してＡＴ６２０またはその他のＡＴへ送信するための送信機６４２を備える。ＡＴ６２０におけるように、ＡＰ６４０には、開示されたさまざまな態様を実施するためのメモリ６４８が提供されている。
【００３５】
図７は、ＵＬデータ送信の典型的な方法を図示するフローチャートである。７０２に示すように、データ・シンボルを送信するために拡張サイクリック・プレフィクスが使用されるデータ・ストリームが受信されうる。そのため、サブフレーム内の各スロットは、５つのデータ・シンボルを送信しうる。次に、７０４に図示するように、イントラ・サブ・フレーム周波数ホッピングがイネーブルされているかが判定される。イントラ・サブ・フレーム周波数ホッピングがイネーブルされている場合、（以下に示すような）図９に図示される方法にしたがう。
【００３６】
イントラ・フレーム周波数ホッピングがイネーブルされていない場合、サブフレーム内の連続した２つのスロットのシンボルが結合されうる。したがって、７０６に図示されるように、連続した２つのスロットにわたるデータが処理され、単一のシンボル・ストリームが生成される。７０８に図示するように、シンボル・ストリームが、データ・シンボルのペアへ分けられうる。
【００３７】
いくつかの態様によれば、送信ダイバーシティのために、２つの送信アンテナが使用されうる。例えば、ＳＴＴＤ送信ダイバーシティ・スキームが適用されうる。７１０に図示するように、データ・シンボルの各ペアについて、ペアの１番目のシンボルと、ペアの２番目のシンボルの関数とが、第１の送信アンテナによって送信されうる。いくつかの態様によれば、２番目のシンボルの関数は、例えば、２番目のシンボルの複素共役でありうる。しかしながら、これは単なる典型的である。２番目のシンボルのいずれかの関数は、例えば、２番目のシンボルの時間反転複素共役、２番目のシンボルのサイクリック遅延バージョン、および／または、その他任意の関数が使用されうる。
【００３８】
７１２に図示するように、データ・シンボルの各ペアについて、ペアの２番目のシンボルと、ペアの１番目のシンボルの関数とが、第２の送信アンテナによって送信される。２番目のシンボルの関数のように、１番目のシンボルの関数は、例えば、１番目のシンボルの複素共役、１番目のシンボルの時間反転複素共役、１番目のシンボルのサイクリック遅延バージョン、および／または、１番目のシンボルのその他任意の関数でありうる。シンボル、または、シンボルの関数を、アンテナによって送信することによって、各シンボルは、別のアンテナからのチャネルを経験することができる。
【００３９】
図８は、図７に図示される処理を用いた典型的なＵＬデータ送信を図示するブロック図である。第１のスロット８０２および第２のスロット８０４を備えるサブフレームが受信される。イントラ・サブ・フレーム周波数ホッピングがイネーブルされていないので、第１のスロット８０２のシンボルＳ０乃至Ｓ４と、第２のスロット８０４のシンボルＳ０乃至Ｓ４とが、単一のデータ・ストリームに結合されうる。したがって、８０６に図示するように、シンボルＡ０乃至Ａ９を備えるデータ・ストリームが形成されうる。
【００４０】
８０８に図示するように、これらデータ・シンボルがペアとされる。第１のペアは、シンボルＡ０、Ａ１を備え、第２のペアは、シンボルＡ２、Ａ３を備え、第３のペアは、シンボルＡ４、Ａ５を備え、第４のペアは、シンボルＡ６、Ａ７を備え、第５のペアは、Ａ８、Ａ９を備える。その後、シンボルは、第１のアンテナ８１０および第２のアンテナ８１２によって送信されうる。
【００４１】
図８に示す典型的な送信では、１番目の時間スロットにおいて、シンボルＡ０が第１のアンテナ８１０によって送信され、シンボルＡ１が第２のアンテナ８１２によって送信される。２番目の時間スロットでは、Ａ１の時間反転複素共役である［Ａ１］＊が、第１のアンテナ８１０によって送信される一方、Ａ０の時間反転複素共役のネガティブである［−Ａ０］＊が、第２のアンテナによって送信される。我々は、Ｘの時間反転複素共役を表す表記法［Ｘ］＊を使用する。同様にして、残りのシンボルが送信される。
【００４２】
図９は、イントラ・サブ・フレーム・ホッピングがイネーブルされ、ＵＬデータ・シンボルを送信する方法を図示するフローチャートである。イントラ・サブフレーム・ホッピングがイネーブルされた場合、サブフレーム内の連続した２つのスロットにわたるデータが結合されない。そのため、拡張サイクリック・プレフィクスが使用される場合、送信のために、スロット内の各シンボルが、ペアとなされない。９０２に図示するように、最初の４つのシンボルが、２つのペアに整えられる。９０４に図示するように、データ・シンボルの各ペアについて、ペアの１番目のシンボルと、ペアの２番目のシンボルの関数とが、第１の送信アンテナによって送信されうる。
【００４３】
９０６に図示するように、データ・シンボルの各ペアについて、ペアの２番目のシンボルと、ペアの１番目のシンボルの関数とが、第２の送信アンテナによって送信される。第１または２番目のシンボルの関数は、例えば、１番目のシンボルの複素共役、１番目のシンボルの時間反転複素共役、１番目のシンボルのサイクリック遅延バージョン、および／または、１番目のシンボルのその他任意の関数でありうる。
【００４４】
９０８に図示するように、ＤＦＴ演算を実行する前に、５番目のシンボルが、２等分されうる。この２等分の１番目の関数が、９１０に図示するように、第１のアンテナで送信される一方、この２等分の２番目の関数が、９１２に図示するように、第２のアンテナで送信される。例えば、第１のアンテナでは、以下の関数、すなわちＩＦＦＴ（ＤＦＴ（［Ａ（Ｍ１）；Ａ（Ｍ２）］））が送信されうる。ここでＭ１およびＭ２は、５番目のシンボルの前半および後半をそれぞれ示し、［Ａ（Ｍ１）；Ａ（Ｍ２）］は、２等分の連結を示す。第２のアンテナにおいては、以下の関数、すなわちＩＦＦＴ（ＤＦＴ（［Ａ（Ｍ１）；−Ａ（Ｍ２）］））＊が送信されうる。ここでＭ１およびＭ２は、５番目のシンボルの前半および後半をそれぞれ示し、［Ａ（Ｍ１）；−Ａ（Ｍ２）］＊は、２等分の連結の時間反転複素共役を示す。この２等分のその他の関数もまた使用されうる。
【００４５】
ＡＰでは、受信された、ペアとされていない信号が、  
【数１】
0005384650.tif 000002
【００４６】
として表現されうる。ペアとされていないシンボルが処理された後、変調シンボル推定値が、以下のようにして表現されうる。  
【数２】
0005384650.tif 000003
【００４７】
上記関数において、Ｈ１およびＨ２はそれぞれ、ＡＴ送信アンテナに対応する周波数領域チャネル伝達関数である。Ｎ２は、雑音電力スペクトル値であり、ｑは、変調シンボルの前半において＋１、後半において−１であるステップ関数である。
【００４８】
図１０は、図９に図示する処理を用いる典型的なＵＬデータ送信を図示するブロック図である。１番目のスロット１００２および２番目のスロット１００４を備えるサブフレームが受信される。イントラ・サブ・フレーム周波数ホッピングがイネーブルされている場合、１番目のスロット１００２のシンボルＳ０乃至Ｓ４と、２番目のスロット１００４のシンボルＳ０乃至Ｓ４とは、単一のデータ・ストリームに結合されない。したがって、１００６に図示するように、各スロットについて個別に処理されうる、シンボルＡ０乃至Ａ４を備えたデータ・ストリームが形成されうる。１番目のスロットの処理のみが図示されている。
【００４９】
１００８に図示するように、最初の４つのデータ・シンボルが、２つのペアに整えられる。１番目のペアは、シンボルＡ０、Ａ１を備え、２番目のペアは、シンボルＡ２、Ａ３を備える。５番目のシンボルは、Ａ４１およびＡ４２に２等分される。その後、これらシンボルは、第１のアンテナ１０１０および第２のアンテナ１０１２によって送信されうる。
【００５０】
図１０に示される典型的な送信では、１番目の時間スロットにおいて、シンボルＡ０が第１のアンテナ１０１０によって送信され、シンボルＡ１が第２のアンテナ１０１２によって送信される。２番目の時間スロットにおいて、Ａ１の時間反転複素共役である［Ａ１］＊が第１のアンテナ１０１０によって送信される一方、Ａ０の時間反転複素共役のネガティブである［−Ａ０］＊が、第２のアンテナ１０１２によって送信される。同様にして、シンボルの２番目のペアが送信される。５番目のシンボルの場合、例えばＩＦＦＴ（ＤＦＴ（［Ａ４１；Ａ４２］））のような２等分のうちの１番目の関数が、第１のアンテナ１０１０によって送信される一方、ＩＦＦＴ（ＤＦＴ（［Ａ４１；−Ａ４２］））＊のような２等分のうちの２番目の関数が、第１のアンテナ１０１２によって送信される。
【００５１】
図１１は、ＳＣ−ＦＤＭＡシンボルを送信するシステム１１００の例を図示する概念ブロック図である。このシステムは、例えばアクセス端末によって実施されうる。この例において、システム１１００は、ユーザ・インタフェース１１０２（例えば、キーボード、ディスプレイ、スピーカ、マイクロホン、ジョイスティック、および／または、その他のコンビネーション・ユーザ・インターフェース・デバイス）、処理システム１１０４、およびトランシーバ１１０６を含みうる。処理システム１１０４は、プロセッサ１１１２によって一般に表される１または複数のプロセッサと、コンピュータ読取可能媒体（例えば、メモリ）１１１４とを有しうる。
【００５２】
処理システム１１０４は、ソフトウェア、ハードウェア、またはこれら両方の組み合わせを用いて実現されうる。例によれば、プロセッサ１１１２は、マイクロプロセッサ、デジタル信号プロセッサ（ＤＳＰ）、特定用途向けＩＣ（ＡＳＩＣ）、マイクロコントローラ、フィールド・プログラマブル・ゲート・アレイ（ＦＰＧＡ）またはその他のプログラマブル・ロジック、順序回路、ディスクリート・ゲート、トランジスタ・ロジック、ディスクリート・ハードウェア構成要素、または本開示の全体にわたって示されたさまざまな機能を実行するように設計されたその他いくつかの処理エンティティのうちの１または複数、あるいは、これら任意の組み合わせで実現されうる。当業者であれば、システム全体に課せられる全体的な設計制約および特定のアプリケーションに依存して、処理システム１１０４のために、記載された機能をどうやって最良に実施するかを認識するだろう。
【００５３】
ソフトウェアは、ソフトウェア、ファームウェア、ミドルウェア、マクロコード、ハードウェア記述言語、あるいはその他で称されようとも、命令群、データ、あるいは、これらの任意の組み合わせを意味するように広く解釈されるものとする。コンピュータ読取可能媒体は、例によれば、ＲＡＭ（ランダム・アクセス・メモリ）、フラッシュ・メモリ、ＲＯＭ（リード・オンリー・メモリ）、ＰＲＯＭ（プログラマブル・リード・オンリー・メモリ）、ＥＰＲＯＭ（消去可能プログラマブル・リード・オンリー・メモリ）、ＥＥＰＲＯＭ（電気的消去可能プログラマブル・リード・オンリー・メモリ）、レジスタ、磁気ディスク、光ディスク、ハード・ドライブ、またはその他任意の適切な記憶媒体、あるいはこれら任意の組み合わせを含みうる。コンピュータ読取可能媒体は、コンピュータ製品内に組み込まれうる。コンピュータ製品は、パッケージング・マテリアルを備えうる。
【００５４】
図１１に示す概念的な例示では、コンピュータ読取可能媒体１１１４は、プロセッサ１１１２とは別であり、処理システム１１０４の一部として示されている。しかしながら、当業者であれば容易に理解するであろうが、コンピュータ読取可能媒体１１１４またはその任意の部分は、処理システム１１０４の外部にありうる。例によれば、コンピュータ読取可能媒体１１１４は、伝送路、データによって変調されたキャリア波、および／または、システム１１００から分離したコンピュータ製品を含みうる。これらすべては、（図示しない）インタフェースを介してプロセッサ１１１２によってアクセスされうる。あるいは、または、それに加えて、コンピュータ読取可能媒体１１１４またはこれら任意の部分は、キャッシュおよび／または汎用レジスタ・ファイルによくあるように、プロセッサ１１１２へ統合されうる。
【００５５】
トランシーバ１１０６は、送信機能および／または受信機能を提供しうる。この送信機能は、無線媒体による送信のために、データとともにキャリアを変調し、受信機能は、データを復元するために、無線媒体によって受信したキャリアを復調する。トランシーバ１１０６はまた、例えば、ＲＦフロンド・エンド処理、アナログ／デジタル処理、タイミングおよび周波数推定、チャネル推定、変調符号化スキーム（ＭＣＳ）等のようなその他さまざまな機能を提供する。
【００５６】
プロセッサ１１１２は、コンピュータ読取可能媒体１１１４に格納されたソフトウェアの実行を含む一般的な処理機能を提供する。ソフトウェアは、プロセッサ１１１２によって実行された場合、処理システム１１０４に対して、本開示にわたって示されるさまざまな機能を実行させるための命令群を含む。
【００５７】
本明細書に記載された機能および方法は、無線デバイスにおけるさまざまなモジュールによって実現されうる。本開示で使用されるように、用語「モジュール」は、ハードウェア、ファームウェア、ハードウェアとソフトウェアとの組み合わせ、ソフトウェア、または実行中のソフトウェアのいずれかを称することが意図される。例によれば、モジュールは、プロセス、オブジェクト、実行形式、実行スレッド、プログラム、アプリケーション、ルーチン、サブルーチン、コードまたは命令群のブロック、プロセッサ１１１２またはその他の処理デバイスによって実行されるその他任意のソフトウェアでありうる。この例では、これらのモジュールは、単一のストレージ・デバイス、複数のストレージ・デバイス、またはその他の媒体を表すコンピュータ読取可能媒体１１１４に存在しうる。例によれば、モジュールは、実行前に、大きなストレージ・デバイスからＲＡＭへとロードされうる。実行中、プロセッサ１１１２は、アクセス速度を高めるために、モジュールまたはその任意の一部をキャッシュへロードしうる。その後、プロセッサ１１１２による実行のために、１または複数のキャッシュ・ラインが、汎用レジスタ・ファイルへロードされうる。ソフトウェア・アプリケーションにおけるモジュールの機能を称する場合、そのような機能は、モジュールまたはその任意の一部を実行するときに、プロセッサ１１１２によって実現されうることが理解されるだろう。
【００５８】
図１２に移って、イントラ・サブ・フレーム周波数ホッピングがイネーブルされていない場合、アップリンクＳＣ−ＦＤＭＡシンボルを送信することを容易にするシステム１２００が例示される。例えば、システム１１００は、送信機、アクセス端末、無線デバイス、ＵＥ等の中に少なくとも部分的に存在しうる。図示するように、システム１２００は、プロセッサ、ソフトウェア、または（例えば、ファームウェアのような）これら組み合わせによって実現される機能を表しうる。システム１２００は、電子構成要素からなる論理グループ１２０２を含む。論理グループ１２０２は、イントラ・サブ・フレーム周波数ホッピングがイネーブルされているかを判定するためのモジュール１２０４を含みうる。さらに、論理グループ１２０２は、サブフレーム内の連続した２つのスロットからのＳＣ−ＦＤＭＡシンボルを、シンボル・ストリームに結合するためのモジュール１２０６を含みうる。さらに、論理グループ１２０２は、シンボル・ストリーム内のシンボルを、ペアに分割するためのモジュール１２０８を含みうる。論理グループ１２０２はまた、１番目のシンボルと、２番目のシンボルの関数とを、第１のアンテナで送信するためのモジュール１２１０を含みうる。論理グループ１２０２はさらに、２番目のシンボルと、１番目のシンボルの関数とを、第２のアンテナで送信するためのモジュール１２１２を含みうる。さらに、システム１２００は、電子構成要素１２０４、１２０６、１２０８、１２１０および１２１２に関連付けられた機能を実行するための命令群を保持するメモリ１２１４を含みうる。メモリ１２１４の外側にあるとして示されているが、電子構成要素１２０４、１２０６、１２０８、１２１０、１２１２は、メモリ１２１４内に存在しうることが理解されるべきである。
【００５９】
図１３は、イントラ・サブ・フレーム周波数ホッピングがイネーブルされている場合に、アップリンクＳＣ−ＦＤＭＡシンボルを送信することを容易にするシステム１３００を示す。例えば、システム１３００は、送信機、アクセス端末、無線デバイス、ＵＥ等の中に少なくとも部分的に存在することができる。図示するように、システム１３００は、プロセッサ、ソフトウェア、または（例えば、ファームウェアのような）これらの組み合わせによって実現される機能を表しうる。システム１３００は、電子構成要素からなる論理グループ１３０２を含む。論理グループ１３０２は、スロット内の最初の４つのシンボルを、２つのペアに分割するためのモジュール１３０４を含みうる。さらに、論理グループ１３０２は、５番目のシンボルを２分割するためのモジュール１３０６を含みうる。さらに、論理グループ１３０２は、１番目のシンボルと、２番目のシンボルの関数とを第１のアンテナで送信するためのモジュール１３０８を含みうる。論理グループ１３０２はまた、２番目のシンボルと、１番目のシンボルの関数とを第２のアンテナで送信するためのモジュール１３１０を含みうる。論理グループ１３０２はさらに、２等分の１番目の関数を、第１のアンテナで送信し、２等分の２番目の関数を、第２のアンテナで送信するためのモジュール１３１２を含みうる。さらに、システム１３００は、電子構成要素１３０４、１３０６、１３０８、１３１０および１３１２に関連付けられた機能を実行するための命令群を保持するメモリ１３１４を含みうる。メモリ１３１４の外側にあると示されているが、電子構成要素１３０４、１３０６、１３０８、１３１０、１３１２は、メモリ１３１４内に存在しうることが理解されるべきである。
【００６０】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００６１】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６２】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【００６３】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを  用いて実現または実施されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００６４】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【００６５】
開示された実施形態の上記記載は、当業者をして、本開示の製造または利用を可能とするように提供される。これら実施形態に対する様々な変形例もまた、当業者には明らかであって、本明細書で定義された一般的な原理は、本開示の主旨または範囲から逸脱することなく他の例にも適用されうる。このように、本発明は、本明細書で示された実施形態に限定されるものではなく、本明細書で開示された原理および新規な特徴に一致した最も広い範囲に相当することが意図されている。
以下に、本願出願の当初の特許請求の範囲に記載された発明を付記する。
［Ｃ１］
アップリンクＳＣ−ＦＤＭＡシンボルを送信する方法であって、
イントラ・サブ・フレーム周波数ホッピングがイネーブルされているかを判定することと、
イントラ・サブ・フレーム周波数ホッピングがイネーブルされていないと判定されると、
サブフレーム内の連続した２つのスロットからのＳＣ−ＦＤＭＡシンボルを、シンボル・ストリームに結合することと、
前記シンボル・ストリーム内のシンボルを、ペアに分けることと、
各ペアについて、１番目のシンボルと、２番目のシンボルの関数とを、第１のアンテナで送信することと、
各ペアについて、前記２番目のシンボルと、前記１番目のシンボルの関数とを、第２のアンテナで送信することと
を備える方法。
［Ｃ２］
前記２番目のシンボルの関数は、前記２番目のシンボルの時間反転複素共役であるＣ１に記載の方法。
［Ｃ３］
前記１番目のシンボルの関数は、前記１番目のシンボルの時間反転複素共役のネガティブであるＣ１に記載の方法。
［Ｃ４］
イントラ・サブ・フレーム周波数ホッピングがイネーブルされていると判定されると、スロット内の最初の４つのシンボルを、２つのペアに分けることと、
５番目のシンボルを２等分に分割することと、
各ペアについて、前記１番目のシンボルと、前記２番目のシンボルの関数とを、第１のアンテナで送信することと、
各ペアについて、前記２番目のシンボルと、前記１番目のシンボルの関数とを、第２のアンテナで送信することと、
前記５番目のシンボルについて、前記２等分のうちの１番目の関数を前記第１のアンテナで送信し、前記２等分のうちの２番目の関数を前記第２のアンテナで送信することと
をさらに備えるＣ１に記載の方法。
［Ｃ５］
前記２等分のうちの１番目の関数はＩＦＦＴ（ＤＦＴ［ａ（ｍ１），ａ（ｍ２）］））であり、ａ（ｍ１）およびａ（ｍ２）は、前半および後半であるＣ４に記載の方法。
［Ｃ６］
前記２等分のうちの２番目の関数はＩＦＦＴ（ＤＦＴ［ａ（ｍ１），−ａ（ｍ２）］））＊であり、ａ（ｍ１）およびａ（ｍ２）は、前半および後半であるＣ４に記載の方法。
［Ｃ７］
前記アップリンクＳＣ−ＦＤＭＡシンボルは、ＬＴＥ  ＰＵＳＣＨチャネルで送信されるＣ１に記載の方法。
［Ｃ８］
前記アップリンクＳＣ−ＦＤＭＡシンボルは、拡張サイクリック・プレフィクスを用いて送信されるＣ１に記載の方法。
［Ｃ９］
アップリンクＳＣ−ＦＤＭＡシンボルを送信するシステムであって、
イントラ・サブ・フレーム周波数ホッピングがイネーブルされているかを判定する手段と、
イントラ・サブ・フレーム周波数ホッピングがイネーブルされていないと判定されると、
サブフレーム内の連続した２つのスロットからのＳＣ−ＦＤＭＡシンボルを、シンボル・ストリームに結合する手段と、
前記シンボル・ストリーム内のシンボルを、ペアに分ける手段と、
各ペアについて、１番目のシンボルと、２番目のシンボルの関数とを、第１のアンテナで送信する手段と、
各ペアについて、前記２番目のシンボルと、前記１番目のシンボルの関数とを、第２のアンテナで送信する手段と
を備えるシステム。
［Ｃ１０］
前記２番目のシンボルの関数は、前記２番目のシンボルの時間反転複素共役であるＣ９に記載のシステム。
［Ｃ１１］
前記１番目のシンボルの関数は、前記１番目のシンボルの時間反転複素共役のネガティブであるＣ９に記載のシステム。
［Ｃ１２］
イントラ・サブ・フレーム周波数ホッピングがイネーブルされていると判定されると、スロット内の最初の４つのシンボルを、２つのペアに分ける手段と、
５番目のシンボルを２等分に分割する手段と、
各ペアについて、前記１番目のシンボルと、前記２番目のシンボルの関数とを、第１のアンテナで送信する手段と、
各ペアについて、前記２番目のシンボルと、前記１番目のシンボルの関数とを、第２のアンテナで送信する手段と、
前記５番目のシンボルについて、前記２等分のうちの１番目の関数を前記第１のアンテナで送信し、前記２等分のうちの２番目の関数を前記第２のアンテナで送信する手段と
をさらに備えるＣ９に記載のシステム。
［Ｃ１３］
前記２等分のうちの１番目の関数はＩＦＦＴ（ＤＦＴ［ａ（ｍ１），ａ（ｍ２）］））であり、ａ（ｍ１）およびａ（ｍ２）は、前半および後半であるＣ１２に記載のシステム。
［Ｃ１４］
前記２等分のうちの２番目の関数はＩＦＦＴ（ＤＦＴ［ａ（ｍ１），−ａ（ｍ２）］））＊であり、ａ（ｍ１）およびａ（ｍ２）は、前半および後半であるＣ１２に記載のシステム。
［Ｃ１５］
前記アップリンクＳＣ−ＦＤＭＡシンボルは、ＬＴＥ  ＰＵＳＣＨチャネルで送信されるＣ９に記載のシステム。
［Ｃ１６］
前記アップリンクＳＣ−ＦＤＭＡシンボルは、拡張サイクリック・プレフィクスを用いて送信されるＣ９に記載のシステム。
［Ｃ１７］
アップリンクＳＣ−ＦＤＭＡシンボルを送信するシステムであって、
第１のアンテナと、
第２のアンテナと、
シンボル・ペアを分け、各ペアにおける１番目のシンボルと、２番目のシンボルの関数とを、第１のアンテナで送信し、各ペアにおける前記２番目のシンボルと、前記１番目のシンボルの関数とを、第２のアンテナで送信するように構成された送信ダイバーシティ・モジュールと
を備えるシステム。
［Ｃ１８］
前記２番目のシンボルの関数は、前記２番目のシンボルの時間反転複素共役のネガティブであるＣ１７に記載のシステム。
［Ｃ１９］
前記１番目のシンボルの関数は、前記１番目のシンボルの時間反転複素共役のネガティブであるＣ１７に記載のシステム。
［Ｃ２０］
前記送信ダイバーシティ・モジュールはさらに、スロット内の最初の４つのシンボルを、２つのペアに分け、５番目のシンボルを２等分に分割し、各ペアについて、前記１番目のシンボルと、前記２番目のシンボルの関数とを、第１のアンテナで送信し、各ペアについて、前記２番目のシンボルと、前記１番目のシンボルの関数とを、第２のアンテナで送信し、前記５番目のシンボルについて、前記２等分のうちの１番目の関数を前記第１のアンテナで送信し、前記２等分のうちの２番目の関数を前記第２のアンテナで送信するように構成されたＣ１７に記載のシステム。
［Ｃ２１］
前記２等分のうちの１番目の関数はＩＦＦＴ（ＤＦＴ［ａ（ｍ１），ａ（ｍ２）］））であり、ａ（ｍ１）およびａ（ｍ２）は、前半および後半であるＣ２０に記載のシステム。
［Ｃ２２］
前記２等分のうちの２番目の関数はＩＦＦＴ（ＤＦＴ［ａ（ｍ１），−ａ（ｍ２）］））＊であり、ａ（ｍ１）およびａ（ｍ２）は、前半および後半であるＣ２０に記載のシステム。
［Ｃ２３］
前記アップリンクＳＣ−ＦＤＭＡシンボルは、ＬＴＥ  ＰＵＳＣＨチャネルで送信されるＣ１７に記載のシステム。
［Ｃ２４］
前記アップリンクＳＣ−ＦＤＭＡシンボルは、拡張サイクリック・プレフィクスを用いて送信されるＣ１７に記載のシステム。
［Ｃ２５］
コンピュータ読取可能媒体を備えるコンピュータ・プログラム製品であって、
前記コンピュータ読取可能媒体は、
イントラ・サブ・フレーム周波数ホッピングがイネーブルされているかを判定するためのコードと、
イントラ・サブ・フレーム周波数ホッピングがイネーブルされていないと判定されると、サブフレーム内の連続した２つのスロットからのＳＣ−ＦＤＭＡシンボルを、シンボル・ストリームに結合するためのコードと、
前記シンボル・ストリーム内のシンボルを、ペアに分けるためのコードと、
各ペアについて、１番目のシンボルと、２番目のシンボルの関数とを、第１のアンテナで送信するためのコードと、
各ペアについて、前記２番目のシンボルと、前記１番目のシンボルの関数とを、第２のアンテナで送信するためのコードと
を備えるコンピュータ・プログラム製品。
［Ｃ２６］
前記２番目のシンボルの関数は、前記２番目のシンボルの時間反転複素共役のネガティブであるＣ２５に記載のコンピュータ・プログラム製品。
［Ｃ２７］
前記１番目のシンボルの関数は、前記１番目のシンボルの時間反転複素共役のネガティブであるＣ２５に記載のコンピュータ・プログラム製品。
［Ｃ２８］
前記コンピュータ読取可能媒体はさらに、
イントラ・サブ・フレーム周波数ホッピングがイネーブルされていると判定されると、スロット内の最初の４つのシンボルを、２つのペアに分けるためのコードと、
５番目のシンボルを２等分に分割するためのコードと、
各ペアについて、前記１番目のシンボルと、前記２番目のシンボルの関数とを、第１のアンテナで送信するためのコードと、
各ペアについて、前記２番目のシンボルと、前記１番目のシンボルの関数とを、第２のアンテナで送信するためのコードと、
前記５番目のシンボルについて、前記２等分のうちの１番目の関数を前記第１のアンテナで送信し、前記２等分のうちの２番目の関数を前記第２のアンテナで送信するためのコードと
をさらに備えるＣ２５に記載のコンピュータ・プログラム製品。
［Ｃ２９］
前記２等分のうちの１番目の関数はＩＦＦＴ（ＤＦＴ［ａ（ｍ１），ａ（ｍ２）］））であり、ａ（ｍ１）およびａ（ｍ２）は、前半および後半であるＣ２５に記載のコンピュータ・プログラム製品。
［Ｃ３０］
前記２等分のうちの２番目の関数はＩＦＦＴ（ＤＦＴ［ａ（ｍ１），−ａ（ｍ２）］））＊であり、ａ（ｍ１）およびａ（ｍ２）は、前半および後半であるＣ２８に記載のコンピュータ・プログラム製品。
［Ｃ３１］
前記アップリンクＳＣ−ＦＤＭＡシンボルは、ＬＴＥ  ＰＵＳＣＨチャネルで送信されるＣ２５に記載のコンピュータ・プログラム製品。
［Ｃ３２］
前記アップリンクＳＣ−ＦＤＭＡシンボルは、拡張サイクリック・プレフィクスを用いて送信されるＣ２５に記載のコンピュータ・プログラム製品。
【図１】
0005384650.tif 000004
【図２】
0005384650.tif 000005
【図３】
0005384650.tif 000006
【図４】
0005384650.tif 000007
【図５】
0005384650.tif 000008
【図６】
0005384650.tif 000009
【図７】
0005384650.tif 000010
【図８】
0005384650.tif 000011
【図９】
0005384650.tif 000012
【図１０】
0005384650.tif 000013
【図１１】
0005384650.tif 000014
【図１２】
0005384650.tif 000015
【図１３】
0005384650.tif 000016